(57)【要約】【課題】接触部に堆積したインキや紙粉が、後続して走行する連続紙の紙面に転移して印刷紙面の汚損が発生してしまう課題や、押付け部材の接触部の軸への取り付け作業又は取り外し作業が容易ではない課題があった。【解決手段】連続紙Ｗの幅方向に互いに離隔して設けた複数の接触部１１が一体に回転可能に設けられた１つ以上の押付け部材１と、押付け部材１を回転可能に支持する支持軸２０と、支持軸２０を連続紙Ｗ面に対して遠近移動させることが可能な波打ち調整手段２と、押付け部材１を一斉に回転駆動させる押付け部材回転駆動手段４とを有し、少なくとも１つの押付け部材１を連続紙Ｗ面に対して遠近移動可能とするとともに、押付け部材１の接触部１１の回転周面速度を、連続紙Ｗの走行速度とは異なる速度で回転駆動可能に設けた連続紙の幅調整装置による。【選択図】　図１
2004035179.tif 000002
【特許請求の範囲】
【請求項１】
走行する連続紙面に接触して連続紙に波打ちを発生させるべく連続紙の幅方向に互いに離隔して設けた複数の接触部が一体に回転可能に設けられた１つ以上の押付け部材と、
押付け部材を回転可能に支持する支持軸と、
支持軸を連続紙面に対して遠近移動させることが可能な波打ち調整手段と、
押付け部材に連係され押付け部材を一斉に回転駆動させる押付け部材回転駆動手段とを有し、
少なくとも１つの押付け部材を連続紙面に対して遠近移動可能とするとともに、押付け部材の接触部の回転周面速度を、連続紙の走行速度とは異なる速度で回転駆動可能に設けたことを特徴とする連続紙の幅調整装置。
【請求項２】
押付け部材が、連続紙の両面にそれぞれ対応して２つ設けられている請求項１記載の連続紙の幅調整装置。
【請求項３】
波打ち調整手段が、支持軸の両端を固定して取り付けられる偏心スリーブと、偏心スリーブを角変位させる駆動伝動機構を有し、支持軸に回転可能に設けられる押付け部材の回転中心線と、偏心スリーブの角変位中心線が距離を有して平行になるように設け、駆動伝動機構により偏心スリーブを角変位中心線周りに角変位させて、連続紙面に対する押付け部材の位置決めが可能な波打ち調整手段である請求項１又は請求項２記載の連続紙の幅調整装置。
【請求項４】
駆動伝動機構が、偏心スリーブと一体で回転可能に設けられたウォームホイールと、このウォームホイールに噛み合うウォームと、ウォームを回転駆動する回転駆動源を備えている駆動伝動機構である請求項３記載の連続紙の幅調整装置。
【発明の詳細な説明】
【０００１】
【発明の属する技術分野】
この発明は、連続紙に複数の印刷部で重ね印刷をする平版輪転印刷機において、少なくとも一の印刷部による印刷が施された後の連続紙の幅を調整する装置に関する。特に、回転可能に適宜の数設けられた押付け部材を、連続紙面に対して遠近移動して連続紙面に押し付けるとともに、適宜の位置で位置決めして連続紙に波打ちを発生させることにより、連続紙の幅を調整する連続紙の幅調整装置に関する。
【０００２】
【従来の技術】
湿し水を使用する平版印刷では、連続紙が印刷部を通過するときに画線を印刷されるとともに、非画線部を介して湿し水を付与される。このとき連続紙のバルブ繊維がこの湿し水を吸収して繊維の直径方向に膨らむため、連続紙は幅方向に拡大する。
【０００３】
そのため、例えば図６に示すように、平版輪転印刷機ＴＰの重ね印刷では、先に印刷した印刷画線と後に印刷した印刷画線との間に、連続紙Ｗの幅方向への拡大による不整合が生じる問題があった。
【０００４】
その問題を解決するため、本願出願人は、特開平５−１７８５１１号公報（先行技術１）を提案した。先行技術１には、「ウェブ料紙調幅装置及びウェブ料紙調幅方法及びウェブ料紙調幅装置を有する平版輪転印刷機」として、印刷部間に回転可能な押付け部材を連続紙の両面に対して設け、押付け部材を連続紙の面に遠近移動させることにより。押付け部材を連続紙の面に接触させ、押付け部材を連続紙の走行方向に連れて回転させながら押し付け、連続紙に波打ちを発生させることにより、連続紙の幅を調整する技術が開示されていた。
【０００５】
この先行技術１の連続紙の幅調整装置は、走行する連続紙との接触に連れて回転可能で連続紙の幅方向に複数設けられ、連続紙を挟んでその両側に互い違いに設けられた押付け部材と、連続紙の各側ごとに押付け部材を貫通し、同一中心線周りに回転可能に支持するように隣り合わせに設けられた軸と、各軸ごとに両端に固定され前記中心線と相違する共通の中心線周りに角変位可能であるように設けられた各軸両端の偏心スリーブと、各偏心スリーブのそれぞれに取り付けられ偏心スリーブと一体に角変位可能であり互いに隣り合わせに設けられた軸の歯車と噛み合わせて設けられる各歯車と、各歯車に駆動を伝える駆動源とを有する。
【０００６】
先行技術１の連続紙の幅調整装置は、駆動源より駆動を伝達し、歯車を角変位することにより、偏心スリーブを角変位させ、偏心スリーブの中心線から偏心した位置に取り付けられた軸に回転可能に支持されている複数の押付け部材を、偏心スリーブの中心線周りに移動して、連続紙の面に対して遠近移動させることになっている。
【０００７】
先行技術１の連続紙の幅調整装置の実施例としては、印刷部Ｐに向かって走行するウェブ料紙Ｗを押圧する押圧面１をウェブ料紙Ｗの両面にそれぞれ対応させ、かつウェブ料紙の一方の面に対応する押圧面１と、ウェブ料紙Ｗの他方の面に対応する押圧面１とを、ウェブ料紙Ｗの幅方向において互い違い配設されている。そしてウェブ料紙Ｗの一方の面を押圧する押圧面１ａ、１ｂ、１ｃ・・・１ｆは、軸３ａにそれぞれ回転可能に、かつ相互離隔して取り付けられたコロ２ａ、２ｂ、２ｃ・・・２ｆの周面からなる。　ウェブ料紙の他方の面に対応する押圧面１ｇ、１ｈ、１ｉ・・・１ｋは、軸３ｂにそれぞれ回転可能に、かつコロ２ａ、２ｂ、２ｃ・・・２ｆの各中間に位置するように相互離隔して取り付けられたコロ２ｇ、２ｈ、２ｉ・・・２ｋの周面からなる。
【０００８】
先行技術１の連続紙の幅調整装置（ウェブ料紙調幅装置２０）は、軸３ａ、３ｂを偏心スリーブ４ａ、４ｂ、４ｃ、４ｄで支持し、偏心スリーブ４ａ、４ｂ、４ｃ、４ｄを回動させて軸３ａ、３ｂを変位させ、軸３ａ、３ｂに取り付けられたコロ２ａ、２ｂ、２ｃ・・・２ｋを一斉に変位させるような装置である。
【０００９】
したがって、先行技術１の押付け部材（押付面１）は、波打ち調整手段により連続紙の両面に対して一斉に遠近移動され、連続紙の面に対して接触することにより回転されながら、連続紙を両面より押付け、連続紙の幅方向に波打ちを発生させて、連続紙の幅を調整し、印刷画線の不整合を防止する作用をしていた。
【００１０】
【発明が解決しようとする課題】
前記従来技術１において、押付け部材は、波打ち調整手段により、連続紙の面に対して遠近移動され、連続紙と接触し、押し付けられることにより、連続紙の走行方向に押付け部材の接触部に連れて、連続紙の走行速度と略同じ速度の回転周速度で回転する。押付け部材の接触部が、連続紙と略同じ周速度で回転変位することにより、連続紙の走行上流側の印刷部で印刷されたインキや紙面に付着した紙粉が、押付け部材の接触部に転移して堆積する。このような接触部に堆積したインキや紙粉が、後続して走行する連続紙の紙面に転移して印刷紙面の汚損が発生してしまう課題があった。
【００１１】
また、押付け部材の接触部が、内輪が固定され外輪が回転可能な構成であり、軸方向へ複数設けられた構成であるので、軸への押付け部材の取り付け作業又は取り外し作業が容易ではなかった。特に、軸の中間部分に位置する押付け部材では、より軸端部側に取り付けられている押付け部材の取り付け位置を乗り越えて、所定の中間部分の取り付け位置まで移動させる必要があり、困難な作業である課題があった。
【００１２】
更に、駆動源から伝達される駆動を、押付け部材の両側に設けられる偏心スリーブと一体的に角変位する歯車に伝えて押付け部材を連続紙の紙面に対して遠近移動させているので、駆動系統の歯車は、押付け部材両側に設けられた偏心スリーブの個数分必要となるため、イニシャルコストが高くなる課題があった。
【００１３】
この発明は、従来技術が抱えていた前記の課題を一挙に解決するもので、連続紙の幅調整装置において、押付け部材の接触部にインキや紙粉が付着して連続紙面が汚損することを防止するとともに、回転可能な押付け部材の取り付け、取り外しが容易にすることを目的としている。また、押付け部材を連続紙面に対して遠近移動するための、波打ち調整手段の伝動機構を簡素化することを目的とする。
【００１４】
【課題を解決するための手段】
上記課題を解決するために、走行する連続紙面に接触して連続紙に波打ちを発生させるべく連続紙の幅方向に互いに離隔して設けた複数の接触部が一体に回転可能に設けられた１つ以上の押付け部材と、
押付け部材を回転可能に支持する支持軸と、
支持軸を連続紙面に対して遠近移動させることが可能な波打ち調整手段と、
押付け部材に連係され押付け部材を一斉に回転駆動させる押付け部材回転駆動手段とを有し、
少なくとも１つの押付け部材を連続紙面に対して遠近移動可能とするとともに、押付け部材の接触部の回転周面速度を、連続紙の走行速度とは異なる速度で回転駆動可能に設けたことを特徴とする連続紙の幅調整装置を提案する。
【００１５】
また、押付け部材が、連続紙の両面にそれぞれ対応して２つ設けられている００１４欄に記載した連続紙の幅調整装置を提案する。
【００１６】
波打ち調整手段が、支持軸の両端を固定して取り付けられる偏心スリーブと、偏心スリーブを角変位させる駆動伝動機構を有し、支持軸に回転可能に設けられる押付け部材の回転中心線と、偏心スリーブの角変位中心線が距離を有して平行になるように設け、駆動伝動機構により偏心スリーブを角変位中心線周りに角変位させて、連続紙面に対する押付け部材の位置決めが可能な波打ち調整手段である００１４欄又は００１５欄に記載された連続紙の幅調整装置を提案する。
【００１７】
更に、駆動伝動機構が、偏心スリーブと一体で回転可能に設けられたウォームホイールと、このウォームホイールに噛み合うウォームと、ウォームを回転駆動する回転駆動源を備えている駆動伝動機構である００１６欄に記載された連続紙の幅調整装置を提案する。
【００１８】
【発明の実施の形態】
この発明の実施形態を示し、連続紙の幅調整装置の概略構成を示す斜視図である図１、図１のＡ−Ａ線矢視展開平面概略断面図である図２、図１のＢ−Ｂ線矢視図であり波打ち調整手段の概略正面図である図３、図１のＣ−Ｃ線矢視断面図で押付け部材回転駆動手段の概略正面図である図４、この発明の駆動伝動機構の第２実施形態の概略正面図である図５、印刷部を積み重ねた印刷可能な平版輪転印刷機の概略平面図である図６に基づいて説明する。
【００１９】
この発明の実施の形態である連続紙の調幅装置１００は、図６に示すように垂直上方向に走行する連続紙Ｗに複数の印刷部Ｐで重ね印刷する平版輪転印刷機ＴＰの、一の印刷部Ｐによる印刷が行われた後の各印刷部Ｐの間に設けられる。
【００２０】
図１に示される連続紙の幅調整装置１００には、押付け部材１ａ、１ｂと、駆動伝動機構３を有する波打調整手段２と、押付け部材回転駆動手段４が設けられている。
【００２１】
押付け部材１ａ、１ｂは、それぞれ下方より上方へ垂直方向に走行する連続紙Ｗの両側に相対して設けられる。一方面側の押付け部材１ａは、連続紙Ｗの面に対して平行に設けられるとともに連続紙Ｗの走行する方向に対して直角方向に設けられている。押付け部材１ａは、波打ち調整手段２の支持軸２０ａの軸心を中心にして回転可能に設けられる円筒状の回転軸１０ａと、回転軸１０ａの軸方向に連続紙Ｗの紙幅範囲内に適宜間隔で複数設けられる接触部１１ａ・・とを有する。それぞれの接触部１１ａ・・は、回転軸１０ａの外周面に取り付けられ回転軸１０ａと一体で一斉に回転可能であり、連続紙Ｗの一方の面に接触している。
【００２２】
連続紙Ｗの他方面側の押付け部材１ｂは、連続紙Ｗの面に対して平行に設けられるとともに連続紙Ｗの走行する方向に対して直角方向に設けられている。押付け部材１ｂは、波打ち調整手段２の支持軸２０ｂの軸心を中心にして回転可能に設けられる円筒状の回転軸１０ｂと、回転軸１０ｂの軸方向に連続紙Ｗの紙幅範囲内に適宜間隔で複数設けられる接触部１１ｂ・・とを有する。それぞれの接触部１１ｂ・・は、一方面の押付け部材１ａの接触部１１ａ・・に対して連続紙Ｗの幅方向にずらして設け、回転軸１０ｂの外周面に取り付けられ回転軸１０ｂと一体で一斉に回転可能であり、連続紙Ｗの他方の面に接触している。
【００２３】
図１乃至図４に示す第１実施形態における押付け部材１ａと押付け部材１ｂは、連続紙Ｗの走行方向に対して押付け部材１ａが、押付け部材１ｂより下流側にずれて設置されているが、他の実施形態として押付け部材１ａと押付け部材１ｂが、連続紙Ｗの走行方向に対して同じ位置（同じ高さ）に設置してもよい。
【００２４】
波打ち調整手段２は、連続紙Ｗの両面の相対する押付け部材１ａ、１ｂをそれぞれ連続紙Ｗの面に対して遠近移動させ、かつ遠近移動した押付け部材１ａ、１ｂの停止位置を位置決めする装置である。
【００２５】
波打ち調整手段２は、支持軸２０ａ、支持軸２０ｂ、軸受２１、偏心スリーブ２２ａ、２２ｂ、偏心スリーブ２３ａ、２３ｂ、軸受２４、軸受２５及び駆動伝動機構３とを有する。
【００２６】
支持軸２０ａは、連続紙Ｗの一方面側の押付け部材１ａの円筒状の回転軸１０ａを貫通し、軸受け２１を介して回転軸１０ａを回転可能に支持している。支持軸２０ｂは、連続紙Ｗの他方面側の押付け部材１ｂの円筒状の回転軸１０ｂを貫通し、軸受け２１を介して回転軸１０ｂを回転可能に支持している。
支持軸２０ａ及び支持軸２０ｂは、それぞれ対向して設けられるフレームＦ１、フレームＦ２間に架設されており、軸の一端側を偏心スリーブ２２ａ、２２ｂに固定され、軸の他端側を偏心スリーブ２３ａ、２３ｂに固定されている。支持軸２０ａ及び支持軸２０ｂは、その軸心が、偏心スリーブ２２ａ、２３ａ及び偏心スリーブ２２ｂ、２３ｂの共通の角変位中心線から偏心した位置に軸の両端を固定して取り付けられる。
【００２７】
偏心スリーブ２２ａ、偏心スリーブ２３ａ、及び偏心スリーブ２２ａと２３ａの間に掛け渡されている支持軸２０ａのそれぞれの中心線と、偏心スリーブ２２ｂ、偏心スリーブ２３ｂ、及び偏心スリーブ２２ｂと２３ｂの間に掛け渡されている支持軸２０ｂのそれぞれの中心線とは、連続紙Ｗを境界に略対称に設定されており、それぞれ対応する支持軸２０ａ、支持軸２０ｂの中心線と連続紙Ｗの両側面との距離は、略等距離であり、また偏心スリーブ２２ａ、偏心スリーブ２２ｂの中心線と連続紙Ｗの両側面との距離、偏心スリーブ２３ａ、偏心スリーブ２３ｂの中心線と連続紙Ｗの両側面との距離は、それぞれ略等距離である。
【００２８】
偏心スリーブ２２ａ及び２２ｂは、支持軸２０ａ及び支持軸２０ｂを挟んで対向して設けられる両フレームＦ１、Ｆ２のフレームＦ１側に軸受け２４、２４を介して回転可能に設けられ、偏心スリーブ２３ａ及び２３ｂは、フレームＦ２側に軸受２５、２５を介して回転可能に設けられる。
【００２９】
偏心スリーブ２２ａ及び２２ｂは、フレームＦ１側の外側に延長した軸端２２０ａ、２２０ｂを一体的に設けており、偏心スリーブ２２ａと軸端２２０ａの回転中心線は同一であり、偏心スリーブ２２ｂと軸端２２０ｂの回転中心線は同一である。軸端２２０ａには駆動伝動機構３のウォームホイール３３ａを取り付け、軸端２２０ｂには駆動伝動機構３のウォームホイール３３ｂを取り付ける。
【００３０】
この第１実施形態の駆動伝動機構３は、回転駆動源３０、回転駆動軸３１、ウォーム３２ａ、３２ｂ及びウォームホイール３３ａ、３３ｂとからなる。
【００３１】
回転駆動源３０は、フレームＦ１の外側に固定されており、この第１実施形態では電動機から成る。回転駆動源３０の回転駆動軸３１には、２つのウォーム３２ａ及びウォーム３２ｂを一体的に固定して設けている。２つのウォーム３２ａとウォーム３２ｂは、ねじの傾きが互いに逆方向にねじれているが、同方向に同時に回転する。ウォーム３２ａは、軸端２２０ａに設けられたウォームホイール３３ａと噛み合わされており、ウォーム３２ｂは、軸端２２０ｂに設けられたウォームホイール３３ｂと噛み合わされている。したがって、回転駆動源３０の回転駆動軸３１が回転すると、ウォームホイール３３ａとウォームホイール３３ｂは、相反する反対方向に角変位する。
【００３２】
ウォームホイール３３ａ、３３ｂの角変位により、軸端２２０ａ、２２０ｂ及び偏心スリーブ２２ａ、２２ｂも互いに反対方向に角変位し、偏心スリーブ２２ａ、２２ｂに取り付けられている支持軸２０ａ、２０ｂも同様に偏心スリーブ２２ａ、２２ｂの回転中心線周りに角変位する。そして支持軸２０ａ、２０ｂは、角変位停止した位置で位置決めされる。
【００３３】
偏心スリーブ２２ａは、支持軸２０ａを介して偏心スリーブ２３ａと連結され、偏心スリーブ２２ａ、２３ａは共通の角変位中心線に一致する中心線を有するように対向するフレームＦ１、Ｆ２に設けられた穴に、その穴の中心線周りに一斉に角変位可能に設けられる。また偏心スリーブ２２ｂは、支持軸２０ｂを介して偏心スリーブ２３ｂと連結され、偏心スリーブ２２ｂ、２３ｂは前記偏心スリーブ２２ａ、２３ａと同様に共通の角変位中心線に一致する中心線を有するように対向するフレームＦ１、Ｆ２に設けられた穴に、その穴の中心線周りに一斉に角変位可能に設けられる。
偏心スリーブ２２ａ、２２ｂが、ウォームホイール３３ａ、３３ｂを介して回転駆動源３０により角変位されることにより、支持軸２０ａに回転可能に取り付けられている押付け部材１ａの回転軸１０ａ、接触部１１ａ及び支持軸２０ｂに回転可能に取り付けられている押付け部材１ｂの回転軸１０ｂ、接触部１１ｂも同様に、それぞれ偏心スリーブ２２ａ、２２ｂの回転中心線周りに角変位する。したがって相対する押付け部材１ａと押付け部材１ｂは、それぞれ連続紙Ｗの両面に対して略対称に、かつ略均等の距離で遠近移動する。
【００３４】
また、図５には駆動伝動機構３ａの第２実施形態を示す。第２実施形態である駆動伝動機構３ａでは、支持軸２０ａと支持軸２０ｂとを、連続紙Ｗの両面に対してそれぞれ略均等の距離で遠近移動させる偏心スリーブ２２ａと偏心スリーブ２２ｂの角変位中心線を含む面Ｎと、連続紙Ｗとの交線Ｍに対して、支持軸２０ａと支持軸２０ｂの中心線を互いに対称の位置に設けてもよい。この場合は、回転駆動軸３１ｂに一体的に設けられている２つのウォーム３２ｃとウォーム３２ｄは、ねじの傾きを同じ方向にし、２つのウォーム３２ｃとウォーム３２ｄと噛み合っているウォームホイール３３ｃとウォールホイール３３ｄは、同時に同方向に角変位する。ウォームホイール３３ｃとウォールホイール３３ｄの同方向への角変位により、偏心スリーブ２２ａに取り付けられている支持軸２０ａと、偏心スリーブ２２ｂに取り付けられている支持軸２０ｂは、連続紙Ｗのそれぞれの面に対し、走行方向に前後ずれながら、ほぼ均等の距離で遠近移動する。
【００３５】
支持軸２０ａと支持軸２０ｂとを、それぞれ連続紙Ｗの両面に対して略対称に、かつ略均等の距離で遠近移動させる駆動伝動機構３の図示しない他の実施形態Ａとしては、ウォームホイール３３ａに噛み合うウォーム３２ａと、ウォールホイール３３ｂに噛み合うウォーム３２ｂとを別個に設け、ウォーム３２ａとウォーム３２ｂとに別個の回転駆動源を設けてウォームホイール３３ａとウォールホイール３３ｂをそれぞれ別個に角変位させる。ウォームホイール３３ａとウォールホイール３３ｂをそれぞれ別個に角変位させて、相対する支持軸２０ａ、押付け部材１ａと、支持軸２０ｂ、押付け部材１ｂを、それぞれ連続紙Ｗの両面に対して略対称に、かつ略均等の距離で遠近移動させる。
【００３６】
更に、支持軸２０ａと支持軸２０ｂとを、それぞれ連続紙Ｗの両面に対して略対称に、かつ略均等の距離で遠近移動させる駆動伝動機構３の図示しない他の実施形態Ｂとしては、ウォームホイール３３ａとウォールホイール３３ｂの代わりに、互いに噛み合う２つ歯車を軸端２２０ａ、２２０ｂに設け、一方の歯車を駆動源により角変位させて、偏心スリーブ２２ａ、２２ｂを互いに反対方向へ角変位させてもよい。
【００３７】
更に、支持軸２０ａと支持軸２０ｂとを、それぞれ連続紙Ｗの両面に対して略対称に、かつ略均等の距離で遠近移動させる駆動伝動機構３の図示しない他の実施形態Ｃとしては、実施形態Ｂにおける歯車の代わりに２つの従動プーリーをそれぞれ設け、回転駆動源に連結される駆動プーリーを設け、それぞれの従動プーリーと駆動プーリーとの間にベルトを掛け渡して、偏心スリーブ２２ａ、２２ｂを互いに反対方向へ角変位させてもよい。
【００３８】
更に、支持軸２０ａと支持軸２０ｂとを、それぞれ連続紙Ｗの両面に対して略対称に、かつ略均等の距離で遠近移動させる駆動伝動機構３の図示しない他の実施形態Ｄとしては、偏心スリーブ２２ａの外側のフレームＦ１の外側の軸端２２０ａ、偏心スリーブ２２ｂの外側のフレームＦ１の外側の軸端２２０ｂのそれぞれに、軸の半径方向にアームを設け、アームの自由端部にそれぞれ駆動源として流体圧シリンダーのシリンダーロッドを連結し、それぞれのシリンダーロッドの伸縮によりアームの自由端部を移動させて、偏心スリーブ２２ａ、２２ｂを互いに反対方向へ角変位させてもよい。
【００３９】
押付け部材回転駆動手段４は、図１、図２及び図４に示すように走行する連続紙Ｗの一方面側に設けられる押付け部材１ａの回転軸１０ａ及び接触部１１ａと、連続紙Ｗの他方面側に設けられる押付け部材１ｂの回転軸１０ｂ及び接触部１１ｂとを、それぞれ相反する方向に回転させる装置である。
【００４０】
押付け部材回転駆動手段４は、駆動機構４０及び連結アーム機構４１からなる。
駆動機構４０は、回転軸１０ａのフレームＦ２側端部に回転軸１０ａと一体的に回転可能に設けた従動歯車４０５ａと、回転軸１０ｂのフレームＦ２側端部に回転軸１０ｂと一体的に回転可能に設けた従動歯車４０５ｂと、従動歯車４０５ａと噛み合う中間歯車４０３と、中間歯車４０３と従動歯車４０５ｂの間で両歯車に噛み合う駆動歯車４０２と、駆動源４００とを有している。駆動源４００は、連結アーム機構４１の第２連結アーム４１１に取り付けられている。駆動源４００は、この実施例では電動機であり、駆動回転軸４０１に設けられた駆動歯車４０２の回転により、直接噛み合っている従動歯車４０５ｂと、中間歯車４０３を介して噛み合っている従動歯車４０５ａを互いに反対方向に回転させ、従動歯車４０５ａと一体的に回転する押付け部材１ａの回転軸１０ａ及び接触部１１ａと、従動歯車４０５ｂと一体的に回転する押付け部材１ｂの回転軸１０ｂ及び接触部１１ｂは、それぞれ連続紙Ｗの走行方向又は走行方向とは逆方向に回転する。この回転による接触部１１ａ及び接触部１１ｂの周面速度は、連続紙Ｗの走行速度とは異なる速度で回転させる。中間歯車４０３は、回転中心に設けた
【００４１】
連結アーム機構４１は、支持軸２０ａ外周上に軸受４１３を介して角変位可能に設けた第１連結アーム４１０と、支持軸２０ｂ外周上に軸受４１４を介して角変位可能に設けた第２連結アーム４１１と、中間軸４１２とを有する。中間軸４１２は、第１連結アーム４１０の連結穴に設けた軸受４１５を介して角変位可能に取り付けられ、第２連結アーム４１１に設けた連結穴４１６に固定して取り付けられる。中間軸４１２の軸先端には、軸受４０４を介して回転可能に中間歯車４０３を設けている。
【００４２】
連結アーム機構４１は、押付け部材１ａの回転中心と中間軸４１２の軸心との距離と、押付け部材１ｂの回転中心と中間軸４１２の軸心との距離との和が、押付け部材１ａの回転中心と押付け部材１ｂの回転中心間の距離より常時大きくなるように第１連結アーム４１０、第２連結アーム４１１を中間軸４１２によって連結して設けてある。したがって、波打ち調整手段２による押付け部材１ａと押付け部材１ｂの移動にかかわらず、中間軸４１２の軸心は移動による死点に至ることがなく、押付け部材１ａと押付け部材１ｂの移動は保障されている。
【００４３】
また、駆動機構４０の他の実施例としては押付け部材１ａと押付け部材１ｂの回転方向は、互いに相反する方向に回転するのではなく、互いに同じ方向に回転させてもよい。
【００４４】
更に、駆動機構４０は、駆動源４００から歯車伝達により押付け部材１ａ、押付け部材１ｂが回転されるように設けたが、図示しない他の実施例としては、１つの駆動源と、この駆動源に連結される駆動プーリーと、それぞれの押付け部材の回転軸に設けられた２つの従動プーリーと、駆動プーリーと各従動プーリーに掛け渡されるベルトと、常時ベルトに張力を与えるベルト張りプーリーとから構成するベルト伝達による駆動機構として、接触部１１ａ、１１ｂを回転させ、接触部１１ａ、１１ｂの周面速度は、連続紙Ｗの走行速度とは異なる速度で回転させてもよい。
【００４５】
次に、この発明の第１実施形態の作用について説明する。
輪転機が稼働すると、連続紙Ｗは各印刷部Ｐで印刷されながら下方から垂直方向へ走行する。一の印刷部Ｐによる印刷がなされた後の連続紙Ｗの走行経路に、順次、次の印刷部Ｐとの間に設けられた連続紙の幅調整装置１００は、波打ち調整手段２により押付け部材１ａ、１ｂの接触部１１ａ、１１ｂをそれぞれ連続紙Ｗの両面より遠近移動させ、それぞれの接触部１１ａ、１１ｂを連続紙Ｗのそれぞれの面に押し付け、走行する連続紙Ｗに波打ちを発生させる。連続紙Ｗに波打ちを発生させることにより、連続紙Ｗの幅を調整する。
【００４６】
押付け部材１ａ、１ｂは、押付け部材回転駆動手段４により連続紙Ｗと平行な回転軸心を中心に回転駆動される。押付け部材回転駆動手段４は、駆動源４００により駆動歯車４０２を駆動回転させ、駆動歯車４０２と噛み合っている従動歯車４０５ｂ及び中間歯車４０３を逆方向で回転させる。中間歯車４０３は、従動歯車４０５ａと噛み合っているので従動歯車４０５ａは、駆動歯車４０２と同方向の回転になる。
【００４７】
従動歯車４０５ａは、押付け部材１ａの回転軸１０ａ及び接触部１１ａ・・に一体的に取り付けられているので回転軸１０ａ及び複数の接触部１１ａ・・と一体的に回転する。従動歯車４０５ｂは、押付け部材１ｂの回転軸１０ｂ及び複数の接触部１１ｂ・・に一体的に取り付けられた部分と一体的に回転する。したがって、複数の接触部１１ａ・・及び複数の接触部１１ｂ・・は、それぞれ相反する方向へ一斉に回転するとともに、それぞれの周面速度が、連続紙Ｗの走行速度と異なる速度となるように回転数は設定される。
【００４８】
このような連続紙の幅調整装置１００の作動において、印刷画像のずれが出た場合、その印刷画像のずれを修正すべく連続紙Ｗの幅調整が必要となる。その場合は、波打ち調整手段２を作動させ連続紙Ｗに対する波打ち発生状態を変更する。波打ち調整手段２は、回転駆動源３０を起動し、回転駆動軸３１を一方向に回転させ、ウォーム３２ａ及びウォーム３２ｂを回転させ、ウォーム３２ａ及びウォーム３２ｂとそれぞれ噛み合っているウォームホイール３３ａ及びウォームホイール３３ｂを互いに相反する方向に角変位させる。
【００４９】
ウォームホイール３３ａの角変位により、ウォームホイール３３ａに連結している偏心スリーブ２２ａ、支持軸２０ａ、及び偏心スリーブ２３ａが共通の角変位中心線を中心に一斉に角変位させる。同様にウォームホイール３３ｂの角変位により、ウォームホイール３３ｂに連結している偏心スリーブ２２ｂ、支持軸２０ｂ、及び偏心スリーブ２３ｂが共通の角変位中心線を中心に一斉に角変位させる。
【００５０】
偏心スリーブ２２ａ、２３ａ及び偏心スリーブ２２ｂ、２３ｂの共通の角変位中心線から偏心した位置に固定されている支持軸２０ａ及び支持軸２０ｂに、それぞれ回転可能に設けられている押付け部材１ａの回転軸１０ａ及び接触部１１ａ・・及び押付け部材１ｂの回転軸１０ｂ及び接触部１１ｂ・・は、偏心スリーブ２２ａ、２３ａ及び偏心スリーブ２２ｂ、２３ｂの共通の角変位中心線周りにほぼ同じ量だけ一斉に角変位して移動する。
【００５１】
したがって、連続紙Ｗに対して略相対する対称な位置に設けられている押付け部材１ａ及び押付け部材１ｂは、波打ち調整手段２により連続紙Ｗに対して両面側から略対称で均等に遠近移動させられ、更に、遠近移動されながら押付け部材回転駆動手段４により連続紙Ｗの走行方向と同じ方向又は逆の方向に回転され、接触部１１ａ・・及び接触部１１ｂ・・が連続紙Ｗの両面に押し付けられ接触する圧力を修正して、連続紙Ｗの幅調整をして、印刷画像のずれを修正する。
【００５２】
このような作動により、連続紙Ｗの幅方向に波打ちが発生され、また波打ち状態が変更されることにより、連続紙Ｗの幅調整が行われ、次の印刷部Ｐへ送られ重ね刷りされる。
【００５３】
この実施の形態では、連続紙Ｗの両面に対応するように押付け部材１ａ、１ｂの双方の部材が、略対称に均等に遠近移動して、連続紙Ｗの両面から押し付け連続紙Ｗに波打ちを発生させる構成であるが、他の実施形態として、連続紙Ｗの片面側にのみ設けた押付け部材１ａを、連続紙Ｗの一方の面に遠近移動させて、連続紙Ｗの片面に押し付け、連続紙Ｗに波打を発生させるようにしてもよい。
【００５４】
【発明の効果】
（１）　走行する連続紙の面に接触する押付け部材の接触部の回転周面速度を、連続紙の走行速度と異なる速度とすることができるため、接触部にインキや紙粉が付着したり、堆積したりすることを防ぎ、印刷紙面が汚損することを防止できる効果がある。
（２）　押し付け部材の複数の接触部を一体構造とすることにより、押付け部材の軸への取り付け作業、押付け部材の軸からの取り外し作業が従来に比し容易になった。
（３）また、押付け部材を連続紙の面に対して遠近移動するための波打ち調整を、押付け部材を支持する軸の一方端側からのみで行うことが可能なため、装置を簡素化することが出来、コストダウンすることができるとともに、操作や、保守点検作業が容易になった。
【図面の簡単な説明】
【図１】この発明の実施形態を示し、連続紙の幅調整装置の概略構成を示す斜視図
【図２】図１のＡ−Ａ線矢視展開平面概略断面図
【図３】図１のＢ−Ｂ線矢視図であり波打ち調整手段の概略正面図
【図４】図１のＣ−Ｃ線矢視断面図で押付け部材回転駆動手段の概略正面図
【図５】この発明の駆動伝動機構の第２実施形態の概略正面図
【図６】印刷部を積み重ねた印刷可能な平版輪転印刷機の概略平面図
【符号の説明】
１００　連続紙の幅調整装置
１ａ　押付け部材
１０ａ　回転軸
１１ａ　接触部
１ｂ　押付け部材
１０ｂ　回転軸
１１ｂ　接触部
２　波打ち調整手段
２０ａ　支持軸
２０ｂ　支持軸
２１　軸受
２２ａ　偏心スリーブ
２２０ａ　軸端
２２ｂ　偏心スリーブ
２２０ｂ　軸端
２３ａ　偏心スリーブ
２３ｂ　偏心スリーブ
２４　軸受
２５　軸受
３　駆動伝動機構
３ａ　駆動伝動機構（第２実施形態）
３０　回転駆動源
３１ａ　回転駆動軸
３１ｂ　回転駆動軸
３２ａ　ウォーム
３２ｂ　ウォーム
３２ｃ　ウォーム
３２ｄ　ウォーム
３３ａ　ウォームホイール
３３ｂ　ウォームホイール
３３ｃ　ウォームホイール
３３ｄ　ウォームホイール
４　押付け部材回転駆動手段
４０　駆動機構
４００　駆動源
４０１　駆動回転軸
４０２　駆動歯車
４０３　中間歯車
４０４　中間歯車の軸受
４０５ａ　従動歯車
４０５ｂ　従動歯車
４１　連結アーム機構
４１０　第１連結アーム
４１１　第２連結アーム
４１２　中間軸
４１３　第１連結アームと支持軸との間の軸受
４１４　第２連結アームと支持軸との間の軸受
４１５　第１連結アームと中間軸の間の軸受
４１６　第２連結アームの連結穴
Ｗ　連続紙
Ｐ　印刷部
ＴＰ　平版輪転印刷機
Ｎ　偏心スリーブ２２ａと偏心スリーブ２２ｂの角変位中心線を含む面Ｍ　面Ｎと連続紙Ｗとの交線
【図１】
2004035179.tif 000003
【図２】
2004035179.tif 000004
【図３】
2004035179.tif 000005
【図４】
2004035179.tif 000006
【図５】
2004035179.tif 000007
【図６】
2004035179.tif 000008